(57)【要約】【課題】原稿が載せられる読取台を開放又は閉塞する開閉部材の開閉状態と、読取台に載せられた原稿を移動しながら読み取る読取部材が基準位置に移動したことと、を同じ検知部材で検知（検出）することができる原稿読取装置、及び画像形成装置を得る。【解決手段】ステップ１００では、制御部が、屈曲部が検知位置とは異なる位置に位置している場合には、制御部が、プラテンカバーが閉塞状態であると判断する。ステップ２００では、読取ユニットを原稿検知位置から基準位置へ移動させ、制御部が、読取ユニットが基準位置へ移動したか否かを判断する。具体的には、検知部材が、検知位置に位置した屈曲部を検知して、読取ユニットが基準位置へ移動したと判断する。このように、開閉部材の開閉状態と、読取部材が基準位置に移動したことと、を同じ検知部材で検知（検出）することができる。【選択図】図２
2014220684.tif 000002
【特許請求の範囲】
【請求項１】
原稿が載せられる読取台を開放又は閉塞する開閉部材と、
検知位置に被検知部材が移動した際に被検知部材を検知する検知部材と、
前記開閉部材の開閉動作に伴って移動し、前記開閉部材の開放状態又は閉塞状態の際に、前記検知位置に位置する開閉移動部材と、
駆動力が伝達されて前記読取台に載せられた原稿を移動しながら読み取る読取部材と、
前記読取部材の移動に伴って移動し、前記読取部材が前記読取部材の基準位置に移動した際に、前記検知位置に位置する読取移動部材と、
前記開閉移動部材が前記検知位置とは異なる位置に移動した際に、前記駆動力を制御して、前記読取移動部材を前記検知位置に移動させる制御部材と、
を備える原稿読取装置。
【請求項２】
前記読取移動部材が前記検知位置に位置したことを前記検知部材が検知すると、前記読取部材の位置情報を記憶する記憶部材が備えられ、
前記記憶部材が前記読取部材の位置情報を記憶すると、前記制御部材は、前記駆動力を制御して、前記読取部材を前記基準位置とは異なる位置へ移動させる請求項１に記載の原稿読取装置。
【請求項３】
前記開閉移動部材は、前記開閉部材が閉塞状態の際に前記検知位置とは異なる位置へ移動する請求項１又は２に記載の原稿読取装置。
【請求項４】
前記開閉部材には、前記開閉部材が閉塞状態の際に、原稿を搬送する搬送部材が配置され、
前記搬送部材によって搬送される原稿を読み取る場合には、前記制御部材は、前記駆動力を制御して、前記読取部材を前記搬送部材によって搬送される原稿を読み取るための搬送読取位置に移動させ、
前記読取台に載せられた原稿を読み取る場合には、前記制御部材は、前記駆動力を制御して、前記読取部材を前記読取台に載せられた原稿に沿って移動させる請求項１〜３の何れか１項に記載の原稿読取装置。
【請求項５】
請求項１〜４の何れか１項に記載の原稿読取装置と、
前記原稿読取装置によって読み取られた原稿情報を画像として記録媒体に形成する画像形成部と、
を備える画像形成装置。
【発明の詳細な説明】
【技術分野】
【０００１】
本発明は、原稿読取装置、及びこれを備えた画像形成装置に関する。
【背景技術】
【０００２】
特許文献１には、原稿読取装置によって読み取られる原稿が載せられる原稿載置台（読取台）が記載されている。そして、この原稿載置台は透明板よりなり、原稿載置台の表面には、罫線が印刷され、その上から白色にて全面に塗装が施されている。
【先行技術文献】
【特許文献】
【０００３】
【特許文献１】特開平７−２７３９４８号公報
【発明の概要】
【発明が解決しようとする課題】
【０００４】
本発明の課題は、原稿が載せられる読取台を開放又は閉塞する開閉部材の開閉状態と、読取台に載せられた原稿を移動しながら読み取る読取部材の位置と、を同じ検知部材で検知（検出）することである。
【課題を解決するための手段】
【０００５】
本発明の請求項１に係る原稿読取装置は、原稿が載せられる読取台を開放又は閉塞する開閉部材と、検知位置に被検知部材が移動した際に被検知部材を検知する検知部材と、前記開閉部材の開閉動作に伴って移動し、前記開閉部材の開放状態又は閉塞状態の際に、前記検知位置に位置する開閉移動部材と、駆動力が伝達されて前記読取台に載せられた原稿を移動しながら読み取る読取部材と、前記読取部材の移動に伴って移動し、前記読取部材が前記読取部材の基準位置に移動した際に、前記検知位置に位置する読取移動部材と、前記開閉移動部材が前記検知位置とは異なる位置に移動した際に、前記駆動力を制御して、前記読取移動部材を前記検知位置に移動させる制御部材と、を備えることを特徴とする。
【０００６】
本発明の請求項２に係る原稿読取装置は、請求項１に記載の原稿読取装置において、前記読取移動部材が前記検知位置に位置したことを前記検知部材が検知すると、前記読取部材の位置情報を記憶する記憶部材が備えられ、前記記憶部材が前記読取部材の位置情報を記憶すると、前記制御部材は、前記駆動力を制御して、前記読取部材を前記基準位置とは異なる位置へ移動させることを特徴とする。
【０００７】
本発明の請求項３に係る原稿読取装置は、請求項１又は２に記載の原稿読取装置において、前記開閉移動部材は、前記開閉部材が閉塞状態の際に前記検知位置とは異なる位置へ移動することを特徴とする。
【０００８】
本発明の請求項４に係る原稿読取装置は、請求項１〜３の何れか１項に記載の原稿読取装置において、前記開閉部材には、前記開閉部材が閉塞状態の際に、原稿を搬送する搬送部材が配置され、前記搬送部材によって搬送される原稿を読み取る場合には、前記制御部材は、前記駆動力を制御して、前記読取部材を前記搬送部材によって搬送される原稿を読み取るための搬送読取位置に移動させ、前記読取台に載せられた原稿を読み取る場合には、前記制御部材は、前記駆動力を制御して、前記読取部材を前記読取台に載せられた原稿に沿って移動させることを特徴とする。
【０００９】
本発明の請求項５に係る画像形成装置は、請求項１〜４の何れか１項に記載の原稿読取装置と、前記原稿読取装置によって読み取られた原稿情報を画像として記録媒体に形成する画像形成部と、を備えることを特徴とする。
【発明の効果】
【００１０】
本発明の請求項１の原稿読取装置によれば、開閉移動部材が検知位置とは異なる位置に移動した際に、読取部材を基準位置に位置させる構成を有さない場合と比して、原稿が載せられる読取台を開放又は閉塞する開閉部材の開閉状態と、読取台に載せられた原稿を移動しながら読み取る読取部材の位置と、を同じ検知部材で検知（検出）することができる。
【００１１】
本発明の請求項２の原稿読取装置によれば、記憶部材が読取部材の位置情報を記憶した後も、読取部材が基準位置から移動しない場合と比して、記憶部材が読取部材の位置情報を記憶した後、検知部材は、開閉部材の開閉状態を検知（検出）することができる。
【００１２】
本発明の請求項３の原稿読取装置によれば、開閉移動部材が、開閉部材が閉塞状態の際に検知位置に位置する場合と比して、開閉部材を開放状態にすることなく、検知部材が読取移動部材を検知することができる。
【００１３】
本発明の請求項４の原稿読取装置によれば、読取部材は、搬送部材によって搬送される原稿及び読取台に載せられた原稿を読み取ることができる。
【００１４】
本発明の請求項５の画像形成装置によれば、請求項１〜４の何れか１項に記載の原稿読取装置を備えていない場合と比して、画像形成装置を安価な構成とすることができる。
【図面の簡単な説明】
【００１５】
【図１】（Ａ）（Ｂ）本発明の第１実施形態に係る原稿読取部を示した側面図である。
【図２】本発明の第１実施形態に係る原稿読取部によって画像が読み取られるフローを示したフロー図である。
【図３】本発明の第１実施形態に係る原稿読取部によって画像が読み取られるフローを示したフロー図である。
【図４】本発明の第１実施形態に係る原稿読取部に備えられた制御部による制御を説明するのに用いたブロック図である。
【図５】本発明の第１実施形態に係る原稿読取部に備えられた読取ユニット等を示した斜視図である。
【図６】本発明の第１実施形態に係る原稿読取部に備えられた読取ユニット等を示した拡大斜視図である。
【図７】本発明の第１実施形態に係る原稿読取部を示した正面図である。
【図８】本発明の第１実施形態に係る原稿読取部を示した正面図である。
【図９】本発明の第１実施形態に係る原稿読取部を示した正面図である。
【図１０】（Ａ）（Ｂ）本発明の第１実施形態に係る画像形成装置を示した斜視図である。
【図１１】本発明の第１実施形態に係る画像形成装置の画像形成ユニットを示した構成図である。
【図１２】本発明の第１実施形態に係る画像形成装置を示した概略構成図である。
【図１３】本発明の第２実施形態に係る原稿読取部によって画像が読み取られるフローを示したフロー図である。
【図１４】本発明の第２実施形態に係る原稿読取部に備えられた制御部による制御を説明するのに用いたブロック図である。
【図１５】本発明の第３実施形態に係る原稿読取部によって画像が読み取られるフローを示したフロー図である。
【図１６】本発明の第３実施形態に係る原稿読取部を示した正面図である。
【図１７】本発明の第４実施形態に係る原稿読取部の要部を示した拡大正面図である。
【図１８】本発明の第５実施形態に係る原稿読取部の要部を示した拡大正面図である。
【発明を実施するための形態】
【００１６】
＜第１実施形態＞
本発明の第１実施形態の原稿読取装置、及び画像形成装置の一例について、図１〜図１２を用いて説明する。
（画像形成装置：全体構成）
図１２には、画像形成装置１０が示されている。画像形成装置１０は、上下方向（矢印Ｙ方向）の下側から上側へ向けて、記録媒体の一例としてのシート部材Ｐが収容される用紙収容部１２と、用紙収容部１２の上方に設けられ用紙収容部１２から供給されるシート部材Ｐに画像形成を行う画像形成部１４と、画像形成部１４の上方に設けられ原稿としての原稿シート部材ＧＰを読み取る原稿読取装置の一例としての原稿読取部１６と、画像形成部１４内に設けられ画像形成装置１０の各部の動作を制御する制御部２０と、各部にシート部材Ｐを搬送する搬送部１８と、を含んで構成されている。なお、原稿読取部１６の構成については詳細を後述する。
【００１７】
なお、以後の説明では、画像形成装置１０を正面視したときの装置本体１０Ａの上下方向を装置上下方向（図中に示す「Ｙ方向」）と、水平方向を装置幅方向（図中に示す「Ｘ方向」）と、奥行方向を装置奥行方向（図中に示す「Ｚ方向」）と記載する。
【００１８】
〔用紙収容部〕      
用紙収容部１２は、サイズの異なるシート部材Ｐが収容される第１収容部２２、第２収容部２４、及び第３収容部２６を備えている。第１収容部２２、第２収容部２４、及び第３収容部２６には、収容されたシート部材Ｐを搬送部１８を構成する搬送路２８に送り出す送り出しロール３２が備えられている。
【００１９】
〔搬送部〕
搬送部１８は、送り出しロール３２よりもシート部材Ｐの搬送方向の下流側に配置され、シート部材Ｐを一枚ずつ搬送する一対の搬送ロール３４及び搬送ロール３６を備えている。また、搬送ロール３６に対してシート部材Ｐの搬送方向の下流側には、シート部材Ｐを一旦停止させるとともに、決められたタイミングで後述する二次転写位置へ送り出す位置合せロール３８が配置されている。
【００２０】
さらに、搬送路２８において後述する定着装置８０に対してシート部材Ｐの搬送方向の下流側には、トナー画像が定着されたシート部材Ｐを排紙部１５へ搬送する複数の搬送ロール８６が配置されている。
【００２１】
搬送部１８の搬送路２８の上流側部分（搬送ロール３６が配置されている部位）は、画像形成装置１０の正面視において、装置上下方向の上側に向けて用紙収容部１２の左側から画像形成部１４の左側下部まで直線状に設けられている。また、搬送部１８の搬送路２８の下流側部分は、画像形成部１４の左側下部から画像形成部１４の右側に配置された排紙部１５まで設けられている。さらに、搬送部１８は、搬送路２８に接続され、シート部材Ｐの両面に画像形成を行うためにシート部材Ｐを搬送及び反転させる両面搬送路２９を備えている。
【００２２】
両面搬送路２９は、画像形成装置１０の正面視において、画像形成部１４の右側下部から用紙収容部１２の右側まで装置上下方向に直線状に設けられた第１反転路３３と、第１反転路３３に搬送されたシート部材Ｐの後端が進入するとともに装置幅方向の左側にシート部材Ｐを搬送する第２反転路３５と、搬送路２８、第１反転路３３、及び第２反転路３５の切り替えを行う切替部材（図示省略）と、を有している。そして、第１反転路３３には、一対の搬送ロール４２が間隔をあけて複数箇所に設けられており、第２反転路３５には、一対の搬送ロール４４が間隔をあけて複数箇所に設けられている。
【００２３】
なお、第２反転路３５の下流側端部は、搬送路２８の上流側部分にある複数の搬送ロール３６のうち、一番下流側にある搬送ロール３６の手前側（上流側）に案内部材（図示省略）により接続されている。
【００２４】
〔画像形成部〕
画像形成部１４は、現像剤像（トナー画像）を形成する４個の画像形成ユニット６０と、図中矢印Ａ方向に回転（周回移動）可能に設けられ外周にトナー画像を保持する中間転写ベルト６２と、画像形成ユニット６０で形成されたトナー画像を中間転写ベルト６２へ一次転写させる４本の一次転写ロール６４と、中間転写ベルト６２上のトナー画像をシート部材Ｐに二次転写させる二次転写ロール６６と、を含んで構成されている。
【００２５】
図１１に示すように、画像形成ユニット６０は、一例として、Ｙ（イエロー）、Ｍ（マゼンタ）、Ｃ（シアン）、Ｋ（ブラック）の各色のトナー画像が形成される複数の画像形成ユニット６０Ｙ、６０Ｍ、６０Ｃ、６０Ｋで構成されている。
【００２６】
なお、画像形成ユニット６０Ｙ、６０Ｍ、６０Ｃ、６０Ｋは、トナーの色が異なるだけで基本構成は同じである。このため、画像形成ユニット６０Ｋについて説明し、他の画像形成ユニット６０Ｙ、６０Ｍ、６０Ｃについては符号の図示及び説明を省略する。また、以後の説明では、画像形成ユニット６０Ｙ、６０Ｍ、６０Ｃ、６０Ｋを構成する各部材について、トナー色（Ｙ、Ｍ、Ｃ、Ｋ）毎の区別が必要なときは、部材の符号の末尾にトナー色を表す添字Ｙ、Ｍ、Ｃ、Ｋを付与して区別し、トナー色（Ｙ、Ｍ、Ｃ、Ｋ）毎の区別が不要なときは、添字Ｙ、Ｍ、Ｃ、Ｋを省略した符号で各部材を説明する場合がある。
【００２７】
画像形成ユニット６０Ｋは、外周面に静電潜像及びトナー画像を保持する像保持部材の一例としての感光体７２と、感光体７２の外周面を帯電する帯電ユニット７４と、帯電された感光体７２の外周面を露光し感光体７２上に静電潜像を形成する露光装置７６と、感光体７２上に形成された静電潜像をＫ色トナーで現像してトナー画像（Ｋ色）を形成する現像装置１００と、一次転写後の感光体７２の外周面を清掃するクリーニングユニット７８と、を含んで構成されている。
【００２８】
感光体７２は、円筒状であり、中間転写ベルト６２の幅方向を軸方向として中間転写ベルト６２と対向配置され、駆動手段（図示省略）によって矢印Ｒ方向（周方向であり図示の時計回り方向）に回転可能に支持されている。また、帯電ユニット７４は、一例として、スコロトロン方式の帯電器であり、放電によって感光体７２の外周面をトナーの帯電極性と同じ極性（一例としてマイナス極性）で帯電させるようになっている。
【００２９】
露光装置７６は、半導体レーザ及びｆ−θレンズ（図示省略）、ポリゴンミラー７６Ａ、結像レンズ（図示省略）、及び複数のミラー７６Ｂを有している。そして、露光装置７６は、Ｋ色（ブラック色）の画像情報に基づき半導体レーザから出射されたレーザ光Ｂを、ポリゴンミラー７６Ａで偏向走査し、帯電ユニット７４により帯電された感光体７２の外周面に照射（露光）して静電潜像を形成するようになっている。
【００３０】
クリーニングユニット７８は、感光体７２と軸方向を揃えたクリーニングロール７８Ａを有している。そして、クリーニングロール７８Ａは、感光体７２の外周面に接触しながら回転することで、一次転写後に感光体７２の外周面に残留しているトナーや埃などを回収する。
【００３１】
中間転写ベルト６２は、一例として、ポリイミド樹脂を主成分としており、円筒状に形成されている。また、中間転写ベルト６２の内側には、矢印Ａ方向の上流側から下流側へ向けて、中間転写ベルト６２を移動させる駆動ロール６１と、電圧が印加されるとともに感光体７２（接地）との電位差でトナー画像を中間転写ベルト６２へ一次転写する一次転写ロール６４と、中間転写ベルト６２を内側から支持する支持ロール６３と、中間転写ベルト６２に張力を付与する張力付与ロール６５と、中間転写ベルト６２の二次転写位置の内側に配置され二次転写ロール６６の対向電極となる対向ロール６７と、支持ロール６９とが、それぞれ図示の反時計回り方向に回転可能に設けられている。
【００３２】
そして、中間転写ベルト６２は、駆動ロール６１、４本の一次転写ロール６４、支持ロール６３、張力付与ロール６５、対向ロール６７、及び支持ロール６９に巻き掛けられて支持されており、駆動ロール６１がモータを含む駆動手段（図示省略）によって回転駆動されることで、矢印Ａ方向に周回移動するようになっている。
【００３３】
一次転写ロール６４は、ベアリング（図示省略）により両端部が回転可能に支持され、外周面が中間転写ベルト６２の内周面と接触している。また、一次転写ロール６４は、中間転写ベルト６２に転写されるトナー画像の極性とは逆の極性（プラス極性）の電圧が芯金（図示省略）に印加されている。ここで、各感光体７２が接地されており、各感光体７２の電位と各一次転写ロール６４の電位との間に電位差が生じている。この電位差で形成される電界の作用により、感光体７２の外周面に保持されているトナー画像が、一次転写位置ＱＡで中間転写ベルト６２に一次転写される。
【００３４】
また、中間転写ベルト６２の外側（駆動ロール６１側とは反対側）には、中間転写ベルト６２と接触して表面をクリーニングするベルトクリーナ７１が設けられている。そして、中間転写ベルト６２を挟んで対向ロール６７側とは反対側には、中間転写ベルト６２上のトナー画像をシート部材Ｐに二次転写する既述の二次転写ロール６６が設けられている。
【００３５】
二次転写ロール６６は、円柱状の芯金（図示省略）の周囲に発泡弾性層を被覆した構成となっている。そして、この芯金は接地されており、二次転写ロール６６の電位と対向ロール６７の電位との間に電位差が生じている。この電位差で形成される電界の作用により、中間転写ベルト６２上のトナー画像が、二次転写位置ＱＢでシート部材Ｐに二次転写される。
【００３６】
一方、搬送路２８における二次転写位置ＱＢよりも下流側には、シート部材Ｐを下流側へ搬送する搬送ユニット７９が設けられている。搬送ユニット７９は、回転可能に設けられた搬送ロール７９Ａ、７９Ｂと、搬送ロール７９Ａ、７９Ｂに巻き掛けられた無端状の搬送ベルト７９Ｃと、を含んで構成されている。そして、搬送ユニット７９は、搬送ロール７９Ｂがモータを含む駆動手段（図示省略）により回転駆動されることで、搬送ベルト７９Ｃを周回移動させるようになっている。また、搬送路２８における搬送ユニット７９よりも下流側には、定着装置８０が設けられている。
【００３７】
定着装置８０は、シート部材Ｐのトナー画像が形成される側に配置され内部に熱源（一例としてハロゲンヒータ（図示省略））を有する定着ロール８２と、定着ロール８２に向けてシート部材Ｐを加圧する加圧ロール８４と、を有している。そして、定着装置８０では、シート部材Ｐが定着ロール８２と加圧ロール８４との接触部（ニップ部）に進入して加熱及び加圧されることで、トナー画像がシート部材Ｐに定着される。
【００３８】
図１２に示されるように、画像形成部１４における画像形成ユニット６０Ｙ、６０Ｍ、６０Ｃ、６０Ｋよりも上側には、イエロー（Ｙ）、マゼンタ（Ｍ）、シアン（Ｃ）、ブラック（Ｋ）の各トナーを収容するトナーカートリッジ８８Ｙ、８８Ｍ、８８Ｃ、８８Ｋが交換可能に設けられている。そして、トナーカートリッジ８８Ｙ、８８Ｍ、８８Ｃ、８８Ｋは、各トナー色に合わせて各現像装置１００（図１１参照）に接続されており、各色のトナーを各現像装置１００に送り込むようになっている。
【００３９】
（全体構成の作用）
次に、画像形成装置１０における画像形成工程について説明する。
【００４０】
図１１に示すように、画像形成装置１０が作動すると、原稿読取部１６によって読み取られた画像データ、又は外部からの画像データが露光装置７６に出力される。
【００４１】
続いて、露光装置７６から画像データに応じて出射された光が、帯電ユニット７４により帯電された感光体７２の外周面を露光する。そして、感光体７２の外周面には、各色の画像データに対応した静電潜像が形成される。さらに、感光体７２の外周面に形成された静電潜像は、現像装置１００によって各色のトナー画像として現像される。そして、感光体７２の外周面の各色のトナー画像は、一次転写ロール６４によって中間転写ベルト６２に一次転写（多重転写）される。
【００４２】
一方、一例として、第３収容部２６から送り出され、搬送路２８を搬送されてきたシート部材Ｐは、位置合わせロール３８により、中間転写ベルト６２への各トナー画像の多重転写とタイミングを合わせて二次転写位置ＱＢに搬送される。そして、中間転写ベルト６２上に多重転写されたトナー画像は、二次転写位置ＱＢに搬送されてきたシート部材Ｐ上に二次転写ロール６６によって二次転写される。
【００４３】
続いて、トナー画像が転写されたシート部材Ｐは、定着装置８０に向けて搬送される。そして、定着装置８０では、トナー画像が定着ロール８２及び加圧ロール８４によって加熱、加圧されてシート部材Ｐに定着される。さらに、トナー画像が定着されたシート部材Ｐは、一例として排紙部１５（図１２参照）に排出される。
【００４４】
なお、シート部材Ｐの両面に画像を形成する場合は、図１２に示すように、定着装置８０で表面に画像定着を行った後、シート部材Ｐを両面搬送路２９に送り込むことで、シート部材Ｐの先端と後端を入れ替える。そして、再度、シート部材Ｐを搬送路２８に送り込んで、シート部材Ｐの裏面の画像形成及び定着を行う。
【００４５】
（要部構成）
次に、原稿読取部１６について説明する。
【００４６】
原稿読取部１６は、図７に示されるように、原稿の一例としての原稿シート部材ＧＰが載せられる読取台の一例としてのプラテンガラス１０２を備えている。このプラテンガラス１０２は、装置本体１０Ａの上部に嵌め込まれている。また、このプラテンガラス１０２の上側には、プラテンガラス１０２を開放又は閉塞する開閉部材の一例としてのプラテンカバー１０４が配置されている。そして、プラテンカバー１０４の内部には、複数の原稿シート部材ＧＰをプラテンカバー１０４内の搬送経路１１８に沿って搬送して、プラテンガラス１０２の上方の原稿読取位置Ｒを通過させる搬送部材の一例としての原稿搬送装置１０６（ＡＤＦ装置）が備えられている。
【００４７】
さらに、装置本体１０Ａの内部には、プラテンガラス１０２に載せられた原稿シート部材ＧＰの画像情報と、原稿搬送装置１０６によって原稿読取位置Ｒに搬送された原稿シート部材ＧＰの画像情報とを読み取る読取部材の一例としての読取ユニット１０８が備えられている。
【００４８】
〔プラテンカバー〕
プラテンカバー１０４は、図１０（Ａ）（Ｂ）に示されるように、装置本体１０Ａの上部に２個のヒンジ１４０を介して取り付けられている。そして、プラテンカバー１０４を開いてプラテンガラス１０２を開放した状態（図１０（Ｂ）参照：開放状態）で、プラテンガラス１０２に原稿シート部材ＧＰが載せられるようになっている。
【００４９】
これに対して、プラテンカバー１０４を閉じてプラテンガラス１０２を閉塞した状態（図１０（Ａ）参照：閉塞状態）で、プラテンカバー１０４は、プラテンガラス１０２に載せられた原稿シート部材ＧＰをプラテンガラス１０２に押し付けるようになっている。
【００５０】
また、プラテンカバー１０４は、プラテンガラス１０２の上方に配置され、原稿搬送装置１０６によって搬送される複数の原稿シート部材ＧＰが載せられる原稿トレイ１１０と、原稿搬送装置１０６によって搬送された原稿シート部材ＧＰが排出される排出トレイ１２４とを備えている。
【００５１】
さらに、プラテンカバー１０４の開閉動作に伴って移動し、プラテンカバー１０４の開放状態又は閉塞状態の際に、後述する検知部材１５６に検出される開閉移動部材の一例としての開閉移動機構１４２が備えられている。
【００５２】
〔開閉移動機構〕
開閉移動機構１４２は、図１（Ａ）（Ｂ）に示されるように、装置本体１０Ａ内において、装置奥行方向の奥側に配置されている。そして、開閉移動機構１４２は、上端部がプラテンカバー１０４の下面に接触可能とされて装置上下方向に延びる棒部材１４４と、棒部材１４４を装置上下方向へ移動可能に支持する支持部材１４６とを備えている。
【００５３】
さらに、棒部材１４４の下端部には、装置奥行方向に延びると共に、装置奥行方向の手前側が上側に屈曲した屈曲部１４８Ａを有する延設板１４８が固定されている。
【００５４】
また、延設板１４８における装置奥行方向の奥側と、支持部材１４６から装置奥行方向の奥側に突出した突起部１４６Ａとの間には、棒部材１４４の上端部がプラテンカバー１０４の下面に接触するように、延設板１４８を付勢するスプリング１５０が備えられている。
【００５５】
この構成により、プラテンカバー１０４を開閉することで、棒部材１４４が装置上下方向に移動して、延設板１４８が装置上下方向に移動するようになっている。
【００５６】
〔検知部材〕
検知部材１５６は、延設板１４８の屈曲部１４８Ａの位置により、プラテンカバー１０４の開閉を検出するようになっている。
【００５７】
具体的には、検知部材１５６は、装置幅方向から見て、装置奥行方向に延びる基板１５８と、基板１５８の両端部から下側に延びる一対の検知板１６０とを備えている。
【００５８】
一方の検知板１６０には、発光素子（図示省略）が備えられ、他方の検知板１６０には受光素子（図示省略）が備えられ、一対の検知板１６０の間の検知位置１５４に屈曲部１４８Ａが位置すると、検知部材１５６がこれを検知するようになっている。
【００５９】
この検知部材１５６の屈曲部１４８Ａの検知については、後述する作用と共に説明する。
【００６０】
〔読取ユニット〕
読取ユニット１０８は、装置奥行方向に延びる直方体状の筐体１０８Ａを備えている。
【００６１】
この筐体１０８Ａの内部には、図７に示されるように、原稿シート部材ＧＰに光を当てる光源１２８と、光源１２８から出射されて原稿シート部材ＧＰから反射された光を予め決められた位置へ反射させる平面ミラー１３０、１３２とが配置されている。
【００６２】
さらに、筐体１０８Ａの内部には、光を電気信号に変換する光電変換素子１３４と、平面ミラー１３０，１３２で反射された光を光電変換素子１３４に結像させる結像レンズ１３６とが配置されている。そして、原稿読取部１６は、光電変換素子１３４が実装される読取回路基板１３８等を介して露光装置７６へ画像情報を送るようになっている。
【００６３】
また、筐体１０８Ａを装置幅方向へ移動可能に支持する一対のレール部材１３９が、図１（Ａ）（Ｂ）に示されるように、筐体１０８Ａに対して装置奥行方向の両側に配置されている。
【００６４】
さらに、この読取ユニット１０８の移動に伴って移動し、読取ユニット１０８が読取ユニット１０８の基準位置に位置した際に、後述する検知部材１５６が検知する読取移動部材１６６が備えられている。
【００６５】
〔読取移動部材〕
読取移動部材１６６は、図１（Ａ）（Ｂ）に示されるように、筐体１０８Ａの装置奥行方向の奥側に取り付けられており、筐体１０８Ａから装置奥行方向に延び、装置奥行方向の奥側が上側に屈曲した屈曲部１６８Ａを有する延設板１６８を備えている。
【００６６】
そして、装置幅方向へ移動する読取ユニット１０８が、読取ユニット１０８の基準位置（図６、図７の実線で示す位置）に移動した際に、屈曲部１６８Ａが、前述した検知位置１５４に位置し、検知部材１５６がこれを検知するようになっている。
【００６７】
なお、検知部材１５６は、光学式の検知部材であるため、例えば、図１（Ｂ）に示されるように、プラテンカバー１０４が開放状態とされて屈曲部１４８Ａが検知位置１５４に位置している際には、検知部材１５６は、読取移動部材１６６の屈曲部１６８Ａを検知できない構成となっている。
【００６８】
〔原稿搬送装置〕
原稿搬送装置１０６は、図７に示されるように、原稿トレイ１１０に載せられた複数の原稿シート部材ＧＰを順次送り出す送出ロール１１２と、送出ロール１１２によって順次取り出された原稿シート部材ＧＰを、一枚ずつ搬送させる分離ロール１１４とを備えている。
【００６９】
さらに、原稿搬送装置１０６は、分離ロール１１４によってプラテンカバー１０４内の搬送経路１１８に送り出された原稿シート部材ＧＰがプラテンガラス１０２の上方の原稿読取位置Ｒを通過するように搬送する複数の搬送ロール１２０と、搬送された原稿シート部材ＧＰを原稿トレイ１１０の下方に配置された排出トレイ１２４に排出する排出ロール１２２とを備えている。
【００７０】
〔小括〕
以上の構成において、原稿搬送装置１０６によって搬送されて原稿読取位置Ｒを通過する原稿シート部材ＧＰの画像情報を読取ユニット１０８が読み取る際には、読取ユニット１０８は、原稿読取位置Ｒと対向する搬送読取位置（図８の実線で示す位置）に移動する。
【００７１】
一方、プラテンガラス１０２に載せされた原稿シート部材ＧＰの画像情報を読取ユニット１０８が読み取る際には、読取ユニット１０８は、先ず原稿シート部材ＧＰの一端部と対向する読取開始位置（図９の実線で示す位置）に移動する。そして、読取ユニット１０８がこの読取開始位置から原稿シート部材ＧＰに沿って読取終了位置（図９中の二点鎖線で示しているうちの右側の位置）まで移動しながら原稿シート部材ＧＰの画像情報を読み取るようになっている。
【００７２】
これに対して、プラテンガラス１０２に載せられた原稿シート部材ＧＰのサイズを検知する際には、読取ユニット１０８は、前述した読取開始位置と読取終了位置との間の原稿検知位置（図７の二点鎖線で示す位置）に移動するようになっている。なお、画像形成装置１０の電源が切られている状態では、読取ユニット１０８は、原稿検知位置に配置されるようになっている。
【００７３】
そして、図７、図８、図９に示されるように、図中左側から順に、搬送読取位置（図８参照）、基準位置（図７参照）、読取開始位置（図９参照）、原稿検知位置（図９参照）、読取終了位置（図９参照）とされ、搬送読取位置、読取開始位置、原稿検知位置、及び読取終了位置は、基準位置とは異なる位置とされている。
【００７４】
〔その他〕
原稿読取部１６は、レール部材１３９に支持された読取ユニット１０８を装置幅方向へ移動させる駆動源としてのモータ１６２を備えられている（図４参照）。このモータ１６２は、パルス信号で駆動するステッピングモータとされている。
【００７５】
さらに、原稿読取部１６は、読取移動部材１６６の屈曲部１６８Ａが検知位置１５４に移動することで読取ユニット１０８の位置情報を記憶する記憶部材の一例としての記憶部１６４を備えている（図４参照）。また、この記憶部１６４は、読取ユニット１０８を各位置へ移動させるモータ１６２のパルス数が記憶され、さらに、読取ユニット１０８が基準位置から移動してどの位置へ移動しているかが記憶されるようになっている。
【００７６】
また、原稿読取部１６には、図４に示されるように、記憶部１６４の記憶等に基づいて、モータ１６２を制御して読取ユニット１０８を移動させる制御部１７４が備えられている。
【００７７】
さらに、原稿読取部１６は、ユーザが読取ユニット１０８による原稿シート部材ＧＰの読み取りを開始する際に押圧する読取スタートボタン１７０（図４参照）を備えている。そして、読取スタートボタン１７０が押圧されると、制御部１７４が、各部を制御して、読取ユニット１０８による原稿シート部材ＧＰの読み取りを開始させるようになっている。
【００７８】
また、原稿読取部１６は、原稿トレイ１１０に載せられた原稿シート部材ＧＰを検知する原稿検知部材１７２を備えている。そして、原稿トレイ１１０に載せられた原稿シート部材ＧＰを原稿検知部材１７２が検知すると、制御部１７４は、読取ユニット１０８に読み取らせる原稿シート部材ＧＰは、原稿搬送装置１０６によって搬送される原稿シート部材ＧＰであると判断するようになっている。
【００７９】
なお、制御部１７４が各部を制御する構成（制御フロー）については、後述する作用と共に説明する。
【００８０】
（要部構成の作用）
次に、原稿読取部１６の作用を、制御部１７４の各部に対する制御フローを用いて説明する。
【００８１】
画像形成装置１０の電源が切られている状態では、読取ユニット１０８は、プラテンガラス１０２に載せられた原稿シート部材ＧＰのサイズを検知する原稿検知位置（図７の二点鎖線で示す位置）に位置している（配置されている）。つまり、読取移動部材１６６の屈曲部１６８Ａは、検知位置１５４とは異なる位置に位置している（配置されている）。
【００８２】
画像形成装置１０に電源が入れられると、図２に示すフロー図のステップ１００へ移行する。
【００８３】
ステップ１００では、制御部１７４が、プラテンカバー１０４が閉塞状態であるか否かを判断する。
【００８４】
具体的には、開閉移動機構１４２の屈曲部１４８Ａが検知位置１５４に位置している際には、検知部材１５６が屈曲部１４８Ａを検知し、制御部１７４が、プラテンカバー１０４が開放状態であると判断する。一方、屈曲部１４８Ａが検知位置１５４とは異なる位置に位置している場合には、検知部材１５６が屈曲部１４８Ａを検知できず、制御部１７４が、プラテンカバー１０４が閉塞状態であると判断する（図１（Ａ）（Ｂ）参照）。プラテンカバー１０４が閉塞状態であると、ステップ２００へ移行する。
【００８５】
なお、プラテンカバー１０４が開放状態であると、ステップ１５０へ移行し、ステップ１５０で、原稿読取部１６の図示せぬ表示画面にプラテンカバー１０４が開放状態であることを表示して再度ステップ１００へ移行する。
【００８６】
ステップ２００では、制御部１７４が、モータ１６２を制御して、読取ユニット１０８を原稿検知位置から基準位置（図７の実線で示す位置）へ移動させ、制御部１７４が、読取ユニット１０８が基準位置へ移動したか否かを判断する。
【００８７】
読取ユニット１０８が基準位置へ移動すると、ステップ３００へ移行する。
【００８８】
具体的には、制御部１７４が、モータ１６２を制御して、読取ユニット１０８を原稿検知位置から基準位置へ移動させると、屈曲部１６８Ａが、図５に示されるように、検知位置１５４に移動する。検知部材１５６がこれを検知し、制御部１７４は、モータ１６２を停止させて、読取ユニット１０８が基準位置へ移動したと判断する。
【００８９】
なお、制御部１７４が、読取ユニット１０８が基準位置へ移動したと判断できない場合には、ステップ２００の工程が繰り返される。
【００９０】
ステップ３００では、読取ユニット１０８が基準位置に移動したことを記憶部１６４が記憶してステップ４００へ移行する。
【００９１】
ステップ４００では、制御部１７４が、モータ１６２を制御して、読取ユニット１０８を基準位置から原稿検知位置へ移動させてステップ５００へ移行する。
【００９２】
具体的には、制御部１７４が、読取ユニット１０８を基準位置から原稿検知位置へ移動させるためのモータ１６２のパルス数を記憶部１６４から受け取る。さらに、制御部１７４が、このパルス数だけモータ１６２を駆動させて、読取ユニット１０８を基準位置から原稿検知位置へ移動させる。そして、記憶部１６４は、読取ユニット１０８が原稿検知位置へ移動したことを記憶する。
【００９３】
ステップ５００では、制御部１７４は、ユーザが読取スタートボタン１７０（図４参照）を押圧して原稿シート部材ＧＰの読み取りを指示したか否かを判断する。
【００９４】
制御部１７４が原稿シート部材ＧＰの読み取りを指示したと判断するとステップ６００へ移行する。
【００９５】
なお、制御部１７４が、原稿シート部材ＧＰの読み取りを指示したと判断しない場合は、ステップ５００の判断が繰り返される。
【００９６】
ステップ６００では、図３に示されるように、制御部１７４が、読取ユニット１０８によって読み取られる原稿シート部材ＧＰが、原稿搬送装置１０６によって搬送される原稿シート部材ＧＰであるか否かを判断する。そして、読取ユニット１０８によって読み取られる原稿シート部材ＧＰが、原稿搬送装置１０６によって搬送される原稿シート部材ＧＰである場合には、ステップ７００へ移行する。
【００９７】
具体的には、原稿検知部材１７２が原稿トレイ１１０に載せられた原稿シート部材ＧＰを検知すると、制御部１７４が、読取ユニット１０８によって読み取られる原稿シート部材ＧＰが、原稿搬送装置１０６によって搬送される原稿シート部材ＧＰであると判断する。
【００９８】
ステップ７００では、制御部１７４が、ステップ１００と同様に、プラテンカバー１０４が閉塞状態であるか否かを判断する。プラテンカバー１０４が閉塞状態の際は、ステップ８００へ移行する。
【００９９】
なお、プラテンカバー１０４が開放状態の際は、ステップ７５０へ移行し、ステップ７５０で、原稿読取部１６の図示せぬ表示画面にプラテンカバー１０４が開放状態であることを表示して再度ステップ７００へ移行する。
【０１００】
ステップ８００では、制御部１７４が、モータ１６２を制御して、読取ユニット１０８を原稿検知位置から搬送読取位置へ移動させてステップ９００へ移行する。
【０１０１】
具体的には、制御部１７４が、読取ユニット１０８を原稿検知位置から搬送読取位置へ移動させるためのモータ１６２のパルス数を記憶部１６４から受け取る。さらに、制御部１７４が、そのパルス数だけモータ１６２を駆動させて、読取ユニット１０８を原稿検知位置から搬送読取位置へ移動させる。そして、記憶部１６４は、読取ユニット１０８が搬送読取位置へ位置したことを記憶する。
【０１０２】
ステップ９００では、制御部１７４が、原稿搬送装置１０６を制御して、原稿トレイ１１０に載せられた原稿シート部材ＧＰを搬送させる。読取ユニット１０８は、原稿読取位置Ｒで原稿シート部材ＧＰの画像情報の読み取りを開始し、ステップ１０００へ移行する。
【０１０３】
ステップ１０００では、制御部１７４が、プラテンカバー１０４の閉塞状態が維持されているか否かを判断し、維持されている際は、ステップ１１００へ移行する。
【０１０４】
具体的には、図１（Ａ）（Ｂ）に示されるように、開閉移動機構１４２の屈曲部１４８Ａが検知位置１５４に位置している場合には、検知部材１５６が屈曲部１４８Ａを検知し、制御部１７４が、プラテンカバー１０４が開放状態になったと判断する。一方、屈曲部１４８Ａが検知位置１５４とは異なる位置に位置している場合には、検知部材１５６が屈曲部１４８Ａを検知できず、制御部１７４が、プラテンカバー１０４の閉塞状態が維持されていると判断する。
【０１０５】
なお、プラテンカバー１０４の閉塞状態が維持されずにプラテンカバー１０４が開放されると、ステップ１０５０へ移行し、ステップ１０５０で、制御部１７４が、原稿搬送装置１０６を制御して、原稿シート部材ＧＰの搬送を中止する。そして、原稿読取部１６の図示せぬ表示画面にプラテンカバー１０４が開放状態であることを表示して再度ステップ１０００へ移行する。
【０１０６】
ステップ１１００では、制御部１７４が、読取ユニット１０８による原稿シート部材ＧＰの読み取りが終了したか否かを判断し、終了している際は、読取ユニット１０８を原稿検知位置へ移動させて一連のフローを終了する。
【０１０７】
具体的には、原稿検知部材１７２が  原稿トレイ１１０に載せられた原稿シート部材ＧＰが無くなったことを検出し、制御部１７４が、読取ユニット１０８による原稿シート部材ＧＰの読み取りが終了したと判断する。
【０１０８】
なお、読取ユニット１０８による原稿シート部材ＧＰの読み取りが終了していない場合には、再度ステップ１０００へ移行する。
【０１０９】
これに対して、ステップ６００で、読取ユニット１０８によって読み取られる原稿シート部材ＧＰが、原稿搬送装置１０６によって搬送される原稿シート部材ＧＰではない場合、つまり、制御部１７４が、読取ユニット１０８によって読み取られる原稿シート部材ＧＰが、プラテンガラス１０２に載せられた原稿シート部材ＧＰであると判断すると、ステップ２０００へ移行する。
【０１１０】
具体的には、原稿検知部材１７２が原稿トレイ１１０に載せられた原稿シート部材ＧＰを検知できない場合に、制御部１７４が、読取ユニット１０８によって読み取られる原稿シート部材ＧＰが、プラテンガラス１０２に載せられた原稿シート部材ＧＰであると判断する。
【０１１１】
ステップ２０００では、原稿検知位置に移動した読取ユニット１０８がプラテンガラス１０２に載せられた原稿シート部材ＧＰのサイズを検知し、制御部１７４がこのサイズ情報を受け取る。さらに、制御部１７４が、モータ１６２を制御して、読取ユニット１０８を原稿検知位置から読取開始位置へ移動させてステップ２１００へ移行する。
【０１１２】
具体的には、制御部１７４が、読取ユニット１０８を原稿検知位置から読取開始位置へ移動させるためのモータ１６２のパルス数を記憶部１６４から受け取る。さらに、制御部１７４が、そのパルス数だけモータ１６２を駆動させて、読取ユニット１０８を原稿検知位置から読取開始位置へ移動させる（図９参照）。そして、記憶部１６４は、読取ユニット１０８が読取開始位置へ移動したことを記憶する。
【０１１３】
ステップ２１００では、制御部１７４が、モータ１６２を制御して、読取開始位置から読取終了位置へ向けて読取ユニット１０８の移動を開始させる。そして、制御部１７４は、移動する読取ユニット１０８によってプラテンガラス１０２に載せられた原稿シート部材ＧＰの画像情報の読み取りを開始させてステップ２２００へ移行する。
【０１１４】
ステップ２２００では、読取ユニット１０８が読取終了位置し、読取ユニット１０８による原稿シート部材ＧＰの画像情報の読み取りが終了すると、制御部１７４が、読取ユニット１０８を読取終了位置から原稿検知位置へ移動させて一連のフローを終了する。
【０１１５】
（要部のまとめ）
以上説明したように、検知部材１５６が、プラテンカバー１０４の開閉状態と、読取ユニット１０８が基準位置に移動したこととを検出する。
【０１１６】
また、一個の検知部材１５６が、プラテンカバー１０４の開閉状態と、読取ユニット１０８が基準位置に移動したこととを検出するため、部品点数が減り、画像形成装置１０及び原稿読取部１６の構成が安価となる。
【０１１７】
また、ステップ２００で読取ユニット１０８が基準位置に移動してステップ３００で記憶部１６４が読取ユニット１０８の基準位置への移動を記憶すると、ステップ４００で、読取ユニット１０８を基準位置から原稿検知位置へ移動させる。このように、読取ユニット１０８が原稿検知位置へ移動すると、検知部材１５６が、プラテンカバー１０４の開閉状態の検出が再度可能となる。
【０１１８】
また、屈曲部１４８Ａは、プラテンカバー１０４が閉止状態の際に、検知位置１５４とは異なる位置へ位置する。これにより、閉塞状態のプラテンカバー１０４を開放することなく、検知部材１５６による読取ユニット１０８の基準位置への移動が検知可能となる。
【０１１９】
＜第２実施形態＞
次に、本発明の第２実施形態に係る原稿読取装置、及び画像形成装置の一例について図１３〜図１４に従って説明する。なお、第１実施形態と同一部材については、同一符号を付してその説明を省略し、第１実施形態と異なる部分を主に説明する。
【０１２０】
図１４に示す原稿読取装置の一例としての原稿読取部２０２に備えられた制御部２０４の構成については、図１３のフロー図と共に説明する。
【０１２１】
図１３に示されるように、ステップ１００では、制御部２０４が、プラテンカバー１０４が開放状態であると判断すると、ステップ３０００へ移行する。
【０１２２】
なお、制御部２０４が、プラテンカバー１０４が閉塞状態であると判断すると、ステップ２００へ移行し、以降は第１実施形態と同様のフローが実行される。
【０１２３】
ステップ３０００では、例えば、ユーザがプラテンガラス１０２に原稿シート部材ＧＰを載せ、制御部２０４が、プラテンカバー１０４が閉塞状態とされ、かつ、原稿シート部材ＧＰの読み取りを指示したか否かを判断する。
【０１２４】
又は、ステップ３０００では、制御部２０４が、プラテンカバー１０４が閉塞状態とされて原稿トレイ１１０に原稿シート部材ＧＰが載せられ、かつ、原稿シート部材ＧＰの読み取りを指示したか否かを判断する。
【０１２５】
一連の工程を経て原稿シート部材ＧＰの読み取りを指示したと、制御部２０４が判断すると、ステップ３１００へ移行する。
【０１２６】
具体的には、プラテンカバー１０４が閉塞状態については、開閉移動機構１４２の屈曲部１４８Ａが検知位置１５４とは異なる位置へ位置することで、検知部材１５４がこれを検出し、制御部２０４が、プラテンカバー１０４が閉塞状態であると判断する。
【０１２７】
さらに、原稿検知部材１７２が、原稿トレイ１１０に載せられた原稿シート部材ＧＰを検知することで、制御部２０４が、原稿トレイ１１０に原稿シート部材ＧＰが載せられたと判断する。
【０１２８】
また、ユーザが読取スタートボタン１７０を押圧することで、制御部２０４が、原稿シート部材ＧＰの読み取りを指示したと判断する。
【０１２９】
なお、一連の工程を経て原稿シート部材ＧＰの読み取りを指示したと、制御部２０４が判断しない場合には、ステップ３０００の工程が繰り返される。
【０１３０】
ステップ３１００では、制御部１７４が、ステップ２００と同様に、モータ１６２を制御して、読取ユニット１０８を原稿検知位置から基準位置（図７の実線で示す位置）へ移動させ、制御部１７４が、読取ユニット１０８が基準位置へ移動したか否かを判断する。
【０１３１】
読取ユニット１０８が基準位置へ移動すると、ステップ３２００へ移行する。
【０１３２】
なお、制御部２０４が、読取ユニット１０８が基準位置へ移動したと判断できない場合には、ステップ３１００の工程が繰り返される。
【０１３３】
ステップ３２００では、読取ユニット１０８が基準位置に移動したことを記憶部１６４が記憶してステップ３３００へ移行する。
【０１３４】
ステップ３３００では、ステップ４００と同様に、制御部２０４が、モータ１６２を制御して、読取ユニット１０８を基準位置から原稿検知位置へ移動させてステップ６００へ移行する。
【０１３５】
ステップ６００以降については、第１実施形態と同様の工程が行われる。
【０１３６】
他の作用については、第１実施形態の作用と同様である。
【０１３７】
＜第３実施形態＞
次に、本発明の第３実施形態に係る原稿読取装置、及び画像形成装置の一例について図１５〜図１６に従って説明する。なお、第１実施形態と同一部材については、同一符号を付してその説明を省略し、第１実施形態と異なる部分を主に説明する。
【０１３８】
第３実施形態に係る原稿読取装置の一例としての原稿読取部２０８は、開閉移動部材の一例としての開閉移動機構２１０を備えている。
【０１３９】
〔開閉移動機構〕
開閉移動機構２１０は、図１６（Ａ）（Ｂ）に示されるように、装置本体１０Ａ内において、装置奥行方向の奥側に配置されている。そして、開閉移動機構２１０は、上端部がプラテンカバー１０４の下面に接触可能とされて装置上下方向に延びる棒部材２１２と、棒部材２１２を装置上下方向へ移動可能に支持する支持部材２１４とを備えている。
【０１４０】
さらに、棒部材２１２の下端部には、装置奥行方向に延びると共に、装置奥行方向の手前側が下側に屈曲した屈曲部２１６Ａを有する延設板２１６が固定されている。
【０１４１】
また、延設板２１６における装置奥行方向の奥側と、支持部材２１４から装置奥行方向の奥側に突出した突起部２１４Ａとの間には、棒部材２１２の上端部がプラテンカバー１０４の下面に接触するように、延設板２１６を付勢するスプリング２１８が備えられている。
【０１４２】
〔検知部材〕
検知部材２２０は、屈曲部２１６Ａの位置に基づいて、プラテンカバー１０４の開閉を検知するようになっている。
【０１４３】
具体的には、検知部材２２０は、装置幅方向から見て、装置奥行方向に延びる基板２２２と、基板２２２の両端部から上側に延びる一対の検知板２２４とを備えている。
【０１４４】
一方の検知板２２４には、発光素子（図示省略）が備えられ、他方の検知板２２４には受光素子（図示省略）が備えられ、一対の検知板２２４の間の検知位置２２６に屈曲部２１６Ａが位置すると、検知部材２２０がこれを検知するようになっている。
【０１４５】
本実施形態では、プラテンカバー１０４が閉塞状態の際に、屈曲部２１６Ａが検知位置２２６に位置して、検知部材２２０がこれを検知するようになっている。
【０１４６】
〔読取移動部材〕
読取移動部材２２８は、筐体１０８Ａの装置奥行方向の奥側に取り付けられ、装置奥行方向の奥側に延び、装置奥行方向の奥側が下側に屈曲した屈曲部２３０Ａを有する延設板２３０を備えている。
【０１４７】
そして、装置幅方向へ移動する読取ユニット１０８が、読取ユニット１０８の基準位置（図７の実線で示す位置）に位置した際に、屈曲部２３０Ａが、前述した検知位置２２６に位置して、検知部材２２０が、これを検知するようになっている。
【０１４８】
〔作用〕
次に、原稿読取部２０８の作用を、制御部２１１の各部に対する制御フローを用いて説明する。
【０１４９】
画像形成装置１０に電源が入れられると、図１５に示すフロー図のステップ１１０へ移行する。
【０１５０】
ステップ１１０では、制御部２１１が、プラテンカバー１０４が開放状態であるか否かを判断し、プラテンカバー１０４が開放状態であると、ステップ２００へ移行する。
【０１５１】
具体的には、開閉移動機構２１０の屈曲部２１６Ａが検知位置２２６に位置している場合には、検知部材２２０が屈曲部２１６Ａを検知し、制御部２１１が、プラテンカバー１０４が閉塞状態であると判断する。一方、屈曲部２１６Ａが検知位置１５４とは異なる位置に位置している場合には、検知部材１５６が屈曲部１４８Ａを検知できず、制御部２１１が、プラテンカバー１０４が開放状態であると判断する。
【０１５２】
なお、プラテンカバー１０４が閉塞状態であると、ステップ１６０へ移行し、ステップ１６０で、原稿読取部２０８の図示せぬ表示画面にプラテンカバー１０４が閉塞状態であることを表示して再度ステップ１１０へ移行する。
【０１５３】
また、ステップ２００以降については、第１実施形態と同様の工程が行われる。但し、ステップ１０００でのプラテンカバー１０４の閉塞状態の維持についての判断は、屈曲部１４８が検知位置１５４とは異なる位置に移動しているか否かによって行われる。
【０１５４】
他の作用については、第１実施形態の作用と同様である。
【０１５５】
＜第４実施形態＞
次に、本発明の第４実施形態に係る原稿読取装置、及び画像形成装置の一例について図１７に従って説明する。なお、第３実施形態と同一部材については、同一符号を付してその説明を省略し、第３実施形態と異なる部分を主に説明する。
【０１５６】
第４実施形態に係る原稿読取装置の一例としての原稿読取部２４０は、開閉移動部材の一例としての開閉移動機構２４２を備えている。
【０１５７】
〔開閉移動機構〕
開閉移動機構２４２は、図１７（Ａ）（Ｂ）に示されるように、装置本体１０Ａ内において、装置奥行方向の奥側に配置されている。また、開閉移動機構２４２は、上端部がプラテンカバー１０４の下面に接触可能とされ装置上下方向に延びる棒部材２４４と、棒部材２４４を装置上下方向へ移動可能に支持する支持部材２４６とを備えている。
【０１５８】
さらに、棒部材２４４の下端部には、装置奥行方向に延びる延設板２４８が固定されている。また、延設板２４８における装置奥行方向の奥側と、支持部材２４６から装置奥行方向の奥側に突出した突起部２４６Ａとの間には、棒部材２４４の上端部がプラテンカバー１０４の下面に接触するように、延設板２４８を付勢するスプリング２５０が備えられている。
【０１５９】
さらに、延設板２４８には、装置幅方向から見て、装置奥行方向に対して手前側が上側に配置されるように傾斜すると共に両端側が装置奥行方向の手前側を向いたガイド面２５２Ａを有するガイド部材２５２が固定されている。
【０１６０】
また、開閉移動機構２４２は、装置奥行方向に延びると共に、一端部（図中左端部）がガイド面２５２Ａに接触可能とされる延設部材２５４と、延設部材２５４を装置奥行方向に移動可能に支持する支持部材２５６とを備えている。
【０１６１】
さらに、延設部材２５４には、延設部材２５４の外周面から突出する突起部２５４Ａが形成され、突起部２５４Ａと支持部材２５６との間には、延設部材２５４の一端部をガイド面２５２Ａに付勢するスプリング２５８が備えられている。
【０１６２】
この構成により、プラテンカバー１０４を開閉することで、延設部材２５４の一端部がガイド面２５２Ａに沿って移動し、これにより、延設部材２５４が装置奥行方向に移動するようになっている。
【０１６３】
〔検知部材〕
検知部材２６０は、延設部材２５４の移動に基づいて、プラテンカバー１０４の開閉を検知するようになっている。
【０１６４】
具体的には、検知部材２６０は、装置幅方向から見て、装置上下方向に延びる基板２６２と、基板２６２の両端部から装置奥行方向の奥側に延びる一対の検知板２６４とを備えている。
【０１６５】
一方の検知板２６４には、発光素子（図示省略）が備えられ、他方の検知板２６４には受光素子（図示省略）が備えられ、一対の検知板２６４の間の検知位置２６６に延設部材２５４の他端部が移動すると、検知部材２６０がこれを検知するようになっている。
【０１６６】
本実施形態では、プラテンカバー１０４が閉塞状態（図１７（Ａ）参照）の際に、延設部材２５４の他端部が検知位置２６６に位置して、検知部材２２０がこれを検知するようになっている。
【０１６７】
〔読取移動部材〕
読取移動部材２７０は、筐体１０８Ａの装置奥行方向の奥側に取り付けられており、装置幅方向から見て複数の屈曲部を有し、端部に装置奥行方向の奥側から手前側に延びる延設部２７２Ａを有する屈曲板２７２を備えている。
【０１６８】
そして、装置幅方向へ移動する読取ユニット１０８が、読取ユニット１０８の基準位置（図７の実線で示す位置）に移動した際に、延設部２７２Ａが、前述した検知位置２６６に移動し、検知部材２６０がこれを検知するようになっている。
【０１６９】
作用については、第３実施形態の作用と同様である。
【０１７０】
＜第５実施形態＞
次に、本発明の第５実施形態に係る原稿読取装置、及び画像形成装置の一例について図１８に従って説明する。なお、第３実施形態と同一部材については、同一符号を付してその説明を省略し、第３実施形態と異なる部分を主に説明する。
【０１７１】
第５実施形態に係る原稿読取装置の一例としての原稿読取部３２０は、開閉移動部材の一例としての開閉移動機構３２２を備えている。
【０１７２】
〔開閉移動機構〕
開閉移動機構３２２は、図１８（Ａ）（Ｂ）に示されるように、装置本体１０Ａ内において、装置奥行方向の奥側に配置されている。また、開閉移動機構３２２は、上端部がプラテンカバー１０４の下面に接触可能とされ装置上下方向に延びる棒部材２７４と、棒部材２７４を装置上下方向へ移動可能に支持する支持部材２７６とを備えている。
【０１７３】
さらに、棒部材２７４の下端部には、装置奥行方向に延びる延設板２７８が固定されている。また、延設板２７８における装置奥行方向の奥側と、支持部材２７６から装置奥行方向の奥側に突出した突起部２７６Ａとの間には、棒部材２４４の上端部がプラテンカバー１０４の下面に接触するように、延設板２７８を付勢するスプリング２８０が備えられている。
【０１７４】
さらに、延設板２７８には、装置幅方向から見て、装置奥行方向に対して手前側が下側に配置されるように傾斜すると共に両端側が装置奥行方向の手前側を向いたガイド面２８２Ａを有するガイド部材２８２が固定されている。
【０１７５】
また、開閉移動機構３２２は、装置奥行方向に延びると共に、一端部（図中左端部）がガイド面２８２Ａに接触可能とされ、他端部（図中右端部）が折り返された延設部材２８４と、延設部材２８４を装置奥行方向に移動可能に支持する支持部材２８６とを備えている。そして、延設部材２８４の他端部において折り返された部分が、折返部２８４Ａとされている。
【０１７６】
さらに、延設部材２８４には、延設部材２８４の外周面から突出する突起部２８４Ｂが形成され、突起部２８４Ｂと支持部材２８６との間には、延設部材２８４の一端部をガイド面２８２Ａに付勢するスプリング２８８が備えられている。
【０１７７】
この構成により、プラテンカバー１０４を開閉することで、延設部材２８４の一端部がガイド面２５２Ａに沿って移動し、これにより、延設部材２８４が装置奥行方向に移動するようになっている。
【０１７８】
〔検知部材〕
検知部材２９０は、延設部材２８４の移動に基づいて、プラテンカバー１０４の開閉を検知するようになっている。
【０１７９】
具体的には、検知部材２９０は、装置幅方向から見て、装置上下方向に延びる基板２９２と、基板２９２の両端部から装置奥行方向の手前側に延びる一対の検知板２９４とを備えている。
【０１８０】
一方の検知板２９４には、発光素子（図示省略）が備えられ、他方の検知板２９４には受光素子（図示省略）が備えられ、一対の検知板２９４の間の検知位置２９６に延設部材２８４の折返部２８４Ａが移動すると、検知部材２９０がこれを検知するようになっている。
【０１８１】
本実施形態では、プラテンカバー１０４が閉塞状態（図１８（Ａ）参照）の際に、延設部材２８４の折返部２８４Ａが検知位置２９６に移動して、検知部材２９０がこれを検知するようになっている。
【０１８２】
〔読取移動部材〕
読取移動部材３１０は、筐体１０８Ａの装置奥行方向の奥側に取り付けられており、装置幅方向から見て装置上下方向の下側に延びる上下部３１２Ａと、上下部３１２Ａの下端部から装置奥行方向の奥側に延びる延設部３１２Ｂとを有する屈曲板３１２を備えている。
【０１８３】
そして、装置幅方向へ移動する読取ユニット１０８が、読取ユニット１０８の基準位置（図７の実線で示す位置）に移動した際に、延設部３１２Ｂが、前述した検知位置２９６に位置し、検知部材２９０がこれを検知するようになっている。
【０１８４】
作用については、第３実施形態の作用と同様である。
【０１８５】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態を説明する上で、画像形成装置１０の制御部２０とは別に各実施形態の原稿読取部に夫々制御部が備えられたが、同一の制御部であってもよい。
【０１８６】
また、上記実施形態では、各検知部材が、発光素子と、発光素子と対向する受光素子とを備えたが、特に対向して配置される必要はなく、一方側に発光素子と受光素子とを備え、被検知部材から反射される光を受光することで被検知部材を検知してもよい。
【符号の説明】
【０１８７】
１０          画像形成装置
１４          画像形成部
１６          原稿読取部（原稿読取装置の一例）
１０２        プラテンガラス（読取台の一例）
１０４        プラテンカバー（開閉部材の一例）
１０６        原稿搬送装置（搬送部材の一例）
１０８        読取ユニット（読取部材の一例）
１４２        開閉移動機構（開閉移動部材の一例）
１５４        検知位置
１５６        検知部材
１６２        モータ（駆動力の一例）
１６４        記憶部（記憶部材の一例）
１６６        読取移動部材
１７４        制御部（制御部材の一例）
２０４        制御部（制御部材の一例）
２０８        原稿読取部（原稿読取装置の一例）
２１０        開閉移動機構（開閉移動部材の一例）
２１１        制御部（制御部材の一例）
２２０        検知部材
２２６        検知位置
２２８        読取移動部材
２４０        原稿読取部（原稿読取装置の一例）
２４２        開閉移動機構（開閉移動部材の一例）
２６０        検知部材
２６６        検知位置
２７０        読取移動部材
２９０        検知部材
２９６        検知位置
３１０        読取移動部材
３２０        原稿読取部（原稿読取装置の一例）
３２２        開閉移動機構（開閉移動部材の一例）
【図１】
2014220684.tif 000003
【図２】
2014220684.tif 000004
【図３】
2014220684.tif 000005
【図４】
2014220684.tif 000006
【図５】
2014220684.tif 000007
【図６】
2014220684.tif 000008
【図７】
2014220684.tif 000009
【図８】
2014220684.tif 000010
【図９】
2014220684.tif 000011
【図１０】
2014220684.tif 000012
【図１１】
2014220684.tif 000013
【図１２】
2014220684.tif 000014
【図１３】
2014220684.tif 000015
【図１４】
2014220684.tif 000016
【図１５】
2014220684.tif 000017
【図１６】
2014220684.tif 000018
【図１７】
2014220684.tif 000019
【図１８】
2014220684.tif 000020